(57)【要約】【課題】  電圧供給が開始された時に時定数回路を構成するコンデンサの充電を迅速に行え、なおかつトランジスタに供給すべきバイアス量の調整が容易な電圧供給回路を提供する。【解決手段】  抵抗Ｒ０とコンデンサＣ０の直列回路を備える時定数回路６の入力側にシリーズレギュレータ型の電圧供給回路７ａを設ける。ここで電圧供給回路７ａの内部には、電圧供給回路の入力端子ＩＮと時定数回路６の間に接続された第１のトランジスタＱ１と、第１のトランジスタＱ１とカレントミラー動作を行う第２のトランジスタＱ２と、時定数回路６の抵抗Ｒ０にその主電流路を並列接続した第３のトランジスタＱ３と、第２のトランジスタＱ２から供給される電流に応じて第３のトランジスタＱ３にバイアスを供給するバイアス回路、具体的には抵抗Ｒ３、を設ける。更に望ましくは、時定数回路６の抵抗Ｒ０に対してダイオードＱ５を並列接続する。【選択図】  図１
2007094970.tif 000002
【特許請求の範囲】
【請求項１】
抵抗とコンデンサを含む時定数回路を介して該時定数回路の出力側に設けられた機能回路に所定の電圧を供給するための電圧供給回路において、
該時定数回路に電圧・電流を供給するように、入力端子と該時定数回路の間に設けられた第１のトランジスタと、
その制御端子が該第１のトランジスタの制御端子と共通接続され、その主電流路に該第１のトランジスタを通過する電流に応じた電流を流すように構成された第２のトランジスタと、
その主電流路が該時定数回路を構成する抵抗に並列接続された第３のトランジスタと、
該第２のトランジスタの主電流路を通過する電流の供給を受けて該第３のトランジスタの制御端子にバイアスを供給するバイアス回路と、
を具備することを特徴とする電圧供給回路。
【請求項２】
前記バイアス回路は、前記時定数回路を構成するコンデンサの端子間電圧が低い時に、前記第１のトランジスタの主電流路を通過する電流の大きさに応じて前記第３のトランジスタをオン状態とするようなバイアスを供給することを特徴とする、請求項１に記載した電圧供給回路。
【請求項３】
前記バイアス回路が抵抗素子よりなることを特徴とする、請求項２に記載した電圧供給回路。
【請求項４】
前記時定数回路の端子間電圧に相等する帰還電圧信号と電圧値が安定した基準電圧信号を受信し、当該２つの電圧信号の大きさに応じて前記第１のトランジスタを通過する電流を制御するための信号を生成する誤差増幅器を更に具備し、
前記第１のトランジスタが、該誤差増幅器と共に前記時定数回路の端子間電圧を一定にするためのレギュレータ回路を構成することを特徴とする、請求項１から請求項３のいずれかに記載した電圧供給回路。
【請求項５】
前記時定数回路を構成する抵抗に対して並列接続されたダイオードを更に具備することを特徴とする、請求項１から請求項４のいずれかに記載された電圧供給回路。
【発明の詳細な説明】
【技術分野】
【０００１】
本発明は、ＲＣ時定数回路やフィルタ回路を介して所定の電圧を供給するための電圧発生回路に関し、時定数回路内に設けられたコンデンサの充電を急速に行うことで、それらが設置された装置全体の起動動作を高速で行えるようにするための技術に関するものである。
【背景技術】
【０００２】
一般的な電子機器は、例えば信号処理装置、表示装置、駆動装置など、様々な装置部分の集合体として成り立っている。一部の装置が動作状態にある時に他の装置が起動あるいは動作停止をすると、電源電圧が変動したり、誤動作を誘発する恐れのあるノイズが動作中の装置に侵入してしまうという事態が起こり得る。このため、各装置の入力側に個別に電圧安定化回路を設ける、特に電圧値の安定化が求められる回路箇所にはＲＣ時定数回路（フィルタ、積分回路とも言う）を設ける、などの対策が必要であった。
【０００３】
図２は、電子機器内における電源と負荷装置と安定化回路とフィルタの位置関係の一例を示している。
図２において、電源１の高電位側端子はＰｃｈ−ＭＯＳ型のパワートランジスタ３の主電流路を介して負荷装置２の一端に接続され、電源1の低電位側端子及び負荷装置２の他端は共にグランドに接続されている。パワートランジスタ３のゲートはトランジスタ４の主電流路を介してグランドに接続され、トランジスタ４のゲートは誤差増幅器５の信号出力端子に接続されている。
【０００４】
誤差増幅器５の反転入力端子（−）はパワートランジスタ３と負荷装置２の共通接続点に接続され、誤差増幅器５の非反転入力端子（＋）は時定数回路６に接続されている。
ここで、時定数回路６は抵抗Ｒ０とコンデンサＣ０の直列回路からなり、抵抗Ｒ０とコンデンサＣ０のそれぞれの一端が誤差増幅器５の非反転入力端子（＋）に共通接続され、コンデンサＣ０の他端はグランドに接続され、抵抗Ｒ０の他端は電圧発生回路７の出力端子ＯＵＴに接続されている。そして電圧発生回路７の入力端子ＩＮは、電源１の高電位側端子に接続されている。
【０００５】
この図２では、パワートランジスタ３、トランジスタ４、誤差増幅器５、時定数回路６、電圧発生回路７がシリーズレギュレータ・タイプの電圧安定化回路を構成し、電圧発生回路７から時定数回路６を介して供給される電圧ＶR2が安定化目標としての基準電圧に相当する。このため電源１の電源電圧ＶD が変動したとしても、その変動量が所定の限界値よりも小さく、かつ緩慢であれば、負荷装置２に供給される供給電圧ＶS は電圧発生回路７から時定数回路６を介して供給される電圧ＶR2にほぼ等しい大きさに安定化される。
【０００６】
一方、電源電圧ＶD の変動が非常に急峻である場合、あるいは高周波ノイズなどが重畳された場合には、電圧発生回路７の内部構成にも依るが、電圧発生回路７の出力電圧ＶR1にノイズが生じる可能性が有る。このような場合、時定数回路６がノイズを濾波するフィルタとして機能するため、誤差増幅器５の非反転入力端子（＋）の位置における電圧Ｖ＋（＝ＶR2）はノイズ成分が少ないものとなる。その結果、電源電圧ＶD に大きなノイズが重畳されても、供給電圧ＶS はノイズの少ない安定した値を維持する事になる。
【０００７】
ところで、負荷装置２に供給される供給電圧ＶS のノイズ成分を少なくするには、時定数回路６を構成する抵抗Ｒ０の抵抗値とコンデンサＣ０の静電容量の少なくとも一方を充分に大きくし、電圧ＶR2に含まれるノイズを少なくすれば良い。しかし、抵抗Ｒ０の抵抗値やコンデンサＣ０の静電容量を大きくすると、図３中の曲線（ａ）（＝太線）のように、時定数回路６から誤差増幅器５に供給される電圧ＶR2の「ゼロボルトから規定電圧に到達するまでの時間」が長くなってしまう。負荷装置２の起動／停止が電源１からの電源電圧ＶD の供給／遮断によって行われるとすると、電源１からの電圧供給が開始されてから負荷装置２に供給される電圧ＶS が所定の値に達するまでの時間も長くなり、負荷装置２の起動が遅れてしまう。
【０００８】
従って、負荷装置２に対してノイズの少ない電圧の供給が要求され、なおかつ負荷装置２の迅速な起動が要求される場合には、図４に示すように、（１）起動時にオン状態となるスイッチＳ１を抵抗Ｒ０に対して並列接続する、あるいは（２）起動時にオン状態となるスイッチＳ２を電源ラインＶccとコンデンサＣ０の一端の間に接続する、といった対策が必要となっていた。ちなみに、（１）の対策は電圧発生回路７自体に充分な電流供給能力がある場合に主に使用され、（２）の対策は電圧発生回路７自体に充分な電流供給能力が無い場合に使用される。（特許文献１参照）
【特許文献１】特開平１１−０５１９８１号
【発明の開示】
【発明が解決しようとする課題】
【０００９】
上で紹介した（１）と（２）の対策で重要なのは、コンデンサＣ０の端子間電圧が低い時にはスイッチＳ１、Ｓ２をオンにし、コンデンサＣ０の充電が終了した後にはスイッチＳ１、Ｓ２オフさせることである。具体的に、抵抗Ｒ０に対してダイオードを並列接続すると、そのダイオードは、抵抗Ｒ０を流れる電流とコンデンサＣ０の端子間電圧に応じて自律的にオン、オフするスイッチＳ１として使用することができる。また、電源ラインＶccとコンデンサＣ０の間にトランジスタの主電流路を接続し、当該トランジスタの制御端子（＝ベース）を抵抗Ｒ０の他端に接続すると、そのトランジスタは、抵抗Ｒ０を流れる電流とコンデンサＣ０の端子間電圧に応じて自律的にオン、オフするスイッチＳ２として使用することができる。
【００１０】
しかし、スイッチＳ１としてのダイオードを抵抗Ｒ０に並列接続した場合については、ダイオードに生じる順方向降下電圧がコンデンサＣ０への電流供給に抵抗する要因となる。このため、コンデンサＣ０の迅速な充電という面では未だ改善の余地が有る。一方、スイッチＳ２としてのトランジスタを電源ラインＶccとコンデンサＣ０の間に接続し、そのベースを抵抗Ｒ０の所定位置に接続した場合については、抵抗Ｒ０の抵抗値は主に時定数回路６に要求される特性によって決定されてしまう。このため、ターンオン、ターンオフ、オン状態維持の各時点でトランジスタに供給すべきバイアス量の調整が難しいといった問題があった。
【００１１】
そこで本発明は、電圧供給が開始された時に時定数回路を構成するコンデンサの充電を迅速に行え、なおかつトランジスタに供給すべきバイアス量の調整が容易な電圧供給回路を提供することを目的とする。
【課題を解決するための手段】
【００１２】
上記課題を解決するための本発明は、抵抗とコンデンサを含む時定数回路を介して時定数回路の出力側に設けられた機能回路に所定の電圧を供給するための電圧供給回路において、  時定数回路に電圧・電流を供給するように、入力端子と時定数回路の間に設けられた第１のトランジスタと、  その制御端子が第１のトランジスタの制御端子と共通接続され、その主電流路に第１のトランジスタを通過する電流に応じた電流を流すように構成された第２のトランジスタと、  その主電流路が時定数回路を構成する抵抗に並列接続された第３のトランジスタと、  第２のトランジスタの主電流路を通過する電流の供給を受けて第３のトランジスタの制御端子にバイアスを供給するバイアス回路とを具備することを特徴とする。更に好ましくは、時定数回路を構成する抵抗に対して並列接続されたダイオードを具備することを特徴とする。
【発明の効果】
【００１３】
時定数回路を構成する抵抗の両端を、電圧供給開始時にオン状態となる第３のトランジスタで短絡するようにしたため、順方向降下電圧のような電流流通に対する抵抗要因が小さく、迅速に時定数回路内のコンデンサを充電できる。
電圧供給開始時に抵抗の両端を短絡する第３のトランジスタに対し、第２のトランジスタとそこから電流供給を受けるバイアス回路からバイアスを供給するようにしたため、時定数回路の抵抗の設定値に関係なくバイアス量を設定できる。そして、第２のトランジスタを通過する電流の大きさ、供給電流に対するバイアス回路からのバイアス供給量、そして必要に応じて抵抗に並列接続したダイオードの順方向降下電圧（オン電圧）、を相互に調整する事により、ターンオン、オフ、そしてオン状態維持の各時点での第３のトランジスタに供給すべきバイアス量の調整が容易に行える。
【発明を実施するための最良の形態】
【００１４】
抵抗とコンデンサの直列回路を備える時定数回路の入力側にシリーズレギュレータ型の電圧供給回路を設ける。ここで電圧供給回路の内部には、電圧供給回路の入力端子と時定数回路の間に接続された第１のトランジスタと、第１のトランジスタとカレントミラー動作を行う第２のトランジスタと、時定数回路の抵抗にその主電流路を並列接続した第３のトランジスタと、第２のトランジスタから供給される電流に応じて第３のトランジスタにバイアスを供給するバイアス回路、具体的には抵抗、を設ける。更に望ましくは、時定数回路の抵抗に対してダイオードを並列接続する。
【００１５】
電圧供給回路から時定数回路に対して電圧の供給が開始された時、時定数回路のコンデンサの端子間電圧が低いとダイオードが導通する。この時、抵抗とダイオードの双方を流れる電流がコンデンサに流れ込み、第１のトランジスタを通過する電流は抵抗単独の時よりも大きくなる。第１のトランジスタを通過する電流が大きくなると第２のトランジスタを通過する電流も大きくなり、第３のトランジスタがオンする。オン状態のトランジスタ素子の主電流路に現れる電気抵抗は極めて低く、そこに生じる電位差もダイオードの順方向降下電圧よりも低いため、コンデンサは急速に充電される。
【００１６】
コンデンサの充電が進み、その端子間電圧が上昇すると、やがて第３のトランジスタはオン状態を維持できなくなる。具体的に、コンデンサの端子間電圧がほぼ規定の電圧値にまで高まると第３のトランジスタはオフ状態に移行する。以後、第３のトランジスタは、コンデンサの端子間電圧が高い値を維持する限りオフ状態を維持する。このようにして第３のトランジスタは、実質的に時定数回路を構成するコンデンサの端子間電圧に応じてオン、オフすることになる。
【実施例】
【００１７】
電圧供給開始時に時定数回路のコンデンサの充電を迅速に行えるようにした、本発明による電圧供給回路の回路を図１に示した。ここで図１の回路は、図２中の電圧発生回路７と時定数回路６に相当する部分を抜き出して示しており、電圧発生回路７ａを次のように接続構成している。
入力端子ＩＮと出力端子ＯＵＴの間にトランジスタＱ１の主電流路を接続し、トランジスタＱ１のベースはトランジスタＱ４の主電流路を介してグランドに接続されている。トランジスタＱ４のベースは誤差増幅器ＡＭＰの信号出力端子に接続され、誤差増幅器ＡＭＰの非反転入力端子（＋）はバンドギャップリファレンス回路ＢＧに接続されている。出力端子ＯＵＴとグランドの間に抵抗Ｒ１とＲ２の直列回路が接続され、抵抗Ｒ１とＲ２の共通接続点は誤差増幅器ＡＭＰの反転入力端子（−）に接続されている。
【００１８】
トランジスタＱ１とベース同士、エミッタ同士がそれぞれ共通接続されたトランジスタＱ２を設け、トランジスタＱ２のコレクタをバイアス回路としての抵抗Ｒ３の一端に接続する。抵抗Ｒ３の他端はグランドに接続し、抵抗Ｒ３の一端をトランジスタＱ３のベースに接続する。トランジスタＱ３の主電流路が時定数回路６内の抵抗Ｒ０に対して並列接続状態になるように、そのエミッタを抵抗Ｒ０の一端に、そのコレクタを抵抗Ｒ０の他端に接続する。そして、コレクタ、ベース間を短絡したトランジスタＱ５を設け、トランジスタＱ５のエミッタを抵抗Ｒ０の一端に、コレクタを抵抗Ｒ０の他端に接続する。
【００１９】
以上のような構成とした電圧発生回路７ａは以下のような動作をする。
先ず、入力端子ＩＮに電圧が供給されると、バンドギャップリファレンス回路ＢＧと誤差増幅器ＡＭＰが動作状態となる。ところで、電圧発生回路７ａの内部において、トランジスタＱ１、誤差増幅器ＡＭＰ、バンドギャップリファレンス回路ＢＧ、および抵抗Ｒ１とＲ２はシリーズレギュレータの回路構成となっている。このため、動作状態となったバンドギャップリファレンス回路ＢＧは、室温で１．２６Ｖ前後の値を示す安定度の極めて高いＢＧ電圧信号を発生させ、一方、動作状態となった誤差増幅器ＡＭＰは、抵抗Ｒ１とＲ２の共通接続点の電圧がバンドギャップリファレンス回路ＢＧから供給されるＢＧ電圧信号に等しくなるように、トランジスタＱ１を駆動する事になる。
【００２０】
時定数回路６のコンデンサＣ０が未充電状態であり、その端子間電圧が低い状態であると、当然、誤差増幅器ＡＭＰはトランジスタＱ１の通過電流を大きくするようにトランジスタＱ１を駆動する。この時、時定数回路６の抵抗Ｒ０の端子間には大きな電位差が生じる。この電位差はダイオードとして動作するトランジスタＱ５のオン電圧を上回る大きさとなるため、トランジスタＱ５が導通し、トランジスタＱ５を介してコンデンサＣ０に大きな充電電流が供給されるようになる。
【００２１】
トランジスタＱ５に電流が流れると、トランジスタＱ１には抵抗Ｒ０単独の時よりも大きな電流が流れるようになり、トランジスタＱ１とカレントミラー回路を構成するように接続されたトランジスタＱ２にも大きな電流が流れる。トランジスタＱ２を通過した電流は抵抗Ｒ３の一端とトランジスタＱ３のベースに供給され、その結果、トランジスタＱ３はオンする。オンしたトランジスタＱ３の主電流路は電気抵抗の極めて低い状態となり、コンデンサＣ０の充電を迅速に行わせる。
【００２２】
コンデンサＣ０の充電が進み、その端子間電圧（すなわち電圧ＶR2）が規定の値に近づくと、Ｑ１、Ｑ４、ＡＭＰ、ＢＧ、Ｒ１、Ｒ２からなる回路部分のシリーズレギュレータとしての動作により、トランジスタＱ１を通過する電流が絞られる。この時、トランジスタＱ２の通過電流も同時に絞られ、トランジスタＱ３のエミッタの位置の電位上昇とベースの位置の電位低下が同時進行する。すると、トランジスタＱ３に供給されるバイアスは低下し、やがてトランジスタＱ３はオフ状態に移行することになる。
以上のようにして、トランジスタＱ３は、コンデンサＣ０の端子間電圧とトランジスタＱ１を通過する電流に応じてオン、オフすることになる。
【００２３】
この図１の回路においては、トランジスタＱ３がオン状態となった時、そのコレクタ、エミッタ間に現れる電位差が、ダイオード素子の順方向降下電圧やコレクタ、ベース間が短絡されたトランジスタＱ５のコレクタ、エミッタ間の電位差よりも低くなる。このため、時定数回路６の抵抗Ｒ０にダイオードを接続するだけの対策（先に説明した（１）の対策の具体例）よりも迅速にコンデンサＣ０を充電できる。そして、トランジスタＱ３にバイアスを供給するための抵抗Ｒ３とトランジスタＱ２は、その抵抗値とトランジスタのサイズ（＝通過電流の大きさ）を時定数回路６の抵抗値や特性に関係なく設定できる。このため、トランジスタＱ３のターンオン時、ターンオフ時のバイアス供給量、オン状態維持の時のバイアス供給量の調整が容易となる。
【００２４】
なお、ダイオードとして機能するトランジスタＱ５については、抵抗Ｒ０単独の時よりも大きな電流を通過させることにより、トランジスタＱ１とトランジスタＱ２に大きな電流を流通させ、トランジスタＱ３のターンオンを促進するという役目を担う。このトランジスタＱ５のオン電圧を適切な値に設定しておく事により
、不測の事態によりコンデンサＣ０の端子間電圧が規定の値よりも低下した時、トランジスタＱ３をオンさせて迅速に規定の値に復帰させたり、逆に、ノイズでトランジスタＱ３が誤ってオンするのを防止したりすることができる。ただし、起動時（＝コンデンサＣ０の端子間電圧がゼロ）と通常動作時（＝コンデンサＣ０の端子間電圧が規定値）において、それぞれ抵抗Ｒ０を流れる電流の差が極めて大きく、トランジスタＱ３のターンオンを促進する必要が無いと判断される場合にはトランジスタＱ５は省略することもできる。
【００２５】
図１の回路が定常動作状態の時、電圧発生回路７ａ内部のトランジスタＱ１、Ｑ４、誤差増幅器ＡＭＰ、バンドギャップリファレンス回路ＢＧによる回路部分は、その回路構成からリップルフィルタと見なすこともできる。電圧発生回路７ａの入力端子ＩＮの電圧（ＶIN）が出力端子ＯＵＴの電圧（ＶOUT ）（＝図２のＶR1）よりも充分に高い場合、電圧発生回路７ａのリップルフィルタ機能により電圧（ＶIN）に含まれるノイズは大幅に低減され、電圧（ＶOUT ）はノイズの少ない直流電圧となる。当然、時定数回路６から取り出される電圧（＝図２のＶR2）はノイズの少ない直流電圧となる。
【００２６】
一方、電圧（ＶIN）と電圧（ＶOUT ）が近似の場合、電圧（ＶIN）に含まれるノイズが電圧発生回路７ａを、ほぼそのまま通過してしまう。しかし、時定数回路６がローパスフィルタとして機能するため、結果的に時定数回路６から取り出される電圧（＝図２のＶR2）はノイズの少ない直流電圧となる。従って、本発明による電圧発生回路を従来の安定化回路に適用しても、安定化回路自体の回路動作を損なうことは無い。
【００２７】
以上の本発明の説明において、図１のトランジスタＱ１、誤差増幅器ＡＭＰ、バンドギャップリファレンス回路ＢＧ、抵抗Ｒ１およびＲ２はシリーズレギュレータを構成している。しかし時定数回路６への供給電流を調整するトランジスタＱ１やそれに類する素子が存在するものであれば、例えば三端子レギュレータなどを構成するものであっても良い。また、本発明による電圧発生回路７ａは、図２のように電圧安定化回路の基準電圧供給用に限らず、時定数回路（ＲＣフィルタ）を介して安定度の高い電圧を供給する場面に広く適用することが可能である。
【図面の簡単な説明】
【００２８】
【図１】本発明による電圧発生回路と時定数回路の回路図。
【図２】電子機器内部の一般的な配置を示すブロック図。
【図３】時定数回路から出力される電圧信号の波形図。
【図４】従来における一般的な電圧発生回路と時定数回路の充電促進技術を示す回路図。
【符号の説明】
【００２９】
１：電源
２：負荷装置
３：パワートランジスタ
６：時定数回路
７、７ａ：電圧発生回路
ＡＭＰ：誤差増幅器
ＢＧ：バンドギャップリファレンス回路
Ｃ０：時定数回路を構成するコンデンサ
ＩＮ：電圧発生回路の入力端子
ＯＵＴ：電圧発生回路の出力端子
Ｑ１：トランジスタ（第１のトランジスタ）
Ｑ２：トランジスタ（第２のトランジスタ）
Ｑ３：トランジスタ（第３のトランジスタ）
Ｑ５：トランジスタ（ダイオード）
Ｒ０：時定数回路を構成する抵抗
Ｒ３：抵抗（バイアス回路）
ＶD ：電源からの供給電圧
ＶR1：電圧発生回路の出力電圧
ＶR2：時定数回路の出力電圧
ＶS ：負荷装置への供給電圧
【図１】
2007094970.tif 000003
【図２】
2007094970.tif 000004
【図３】
2007094970.tif 000005
【図４】
2007094970.tif 000006
【手続補正書】
【提出日】平成18年12月22日(2006.12.22)
【手続補正１】
【補正対象書類名】明細書
【補正対象項目名】０００１
【補正方法】変更
【補正の内容】
【０００１】
本発明は、ＲＣ時定数回路やフィルタ回路を介して所定の電圧を供給するための電圧供給回路に関し、時定数回路内に設けられたコンデンサの充電を急速に行うことで、それらが設置された装置全体の起動動作を高速で行えるようにするための技術に関するものである。
【手続補正２】
【補正対象書類名】明細書
【補正対象項目名】０００４
【補正方法】変更
【補正の内容】
【０００４】
誤差増幅器５の反転入力端子（−）はパワートランジスタ３と負荷装置２の共通接続点に接続され、誤差増幅器５の非反転入力端子（＋）は時定数回路６に接続されている。
ここで、時定数回路６は抵抗Ｒ０とコンデンサＣ０の直列回路からなり、抵抗Ｒ０とコンデンサＣ０のそれぞれの一端が誤差増幅器５の非反転入力端子（＋）に共通接続され、コンデンサＣ０の他端はグランドに接続され、抵抗Ｒ０の他端は電圧供給回路７の出力端子ＯＵＴに接続されている。そして電圧供給回路７の入力端子ＩＮは、電源１の高電位側端子に接続されている。
【手続補正３】
【補正対象書類名】明細書
【補正対象項目名】０００５
【補正方法】変更
【補正の内容】
【０００５】
この図２では、パワートランジスタ３、トランジスタ４、誤差増幅器５、時定数回路６、電圧供給回路７がシリーズレギュレータ・タイプの電圧安定化回路を構成し、電圧供給回路７から時定数回路６を介して供給される電圧ＶR2が安定化目標としての基準電圧に相当する。このため電源１の電源電圧ＶD が変動したとしても、その変動量が所定の限界値よりも小さく、かつ緩慢であれば、負荷装置２に供給される供給電圧ＶS は電圧供給回路７から時定数回路６を介して供給される電圧ＶR2にほぼ等しい大きさに安定化される。
【手続補正４】
【補正対象書類名】明細書
【補正対象項目名】０００６
【補正方法】変更
【補正の内容】
【０００６】
一方、電源電圧ＶD の変動が非常に急峻である場合、あるいは高周波ノイズなどが重畳された場合には、電圧供給回路７の内部構成にも依るが、電圧供給回路７の出力電圧ＶR1にノイズが生じる可能性が有る。このような場合、時定数回路６がノイズを濾波するフィルタとして機能するため、誤差増幅器５の非反転入力端子（＋）の位置における電圧Ｖ＋（＝ＶR2）はノイズ成分が少ないものとなる。その結果、電源電圧ＶD に大きなノイズが重畳されても、供給電圧ＶS はノイズの少ない安定した値を維持する事になる。
【手続補正５】
【補正対象書類名】明細書
【補正対象項目名】０００８
【補正方法】変更
【補正の内容】
【０００８】
従って、負荷装置２に対してノイズの少ない電圧の供給が要求され、なおかつ負荷装置２の迅速な起動が要求される場合には、図４に示すように、（１）起動時にオン状態となるスイッチＳ１を抵抗Ｒ０に対して並列接続する、あるいは（２）起動時にオン状態となるスイッチＳ２を電源ラインＶccとコンデンサＣ０の一端の間に接続する、といった対策が必要となっていた。ちなみに、（１）の対策は電圧供給回路７自体に充分な電流供給能力がある場合に主に使用され、（２）の対策は電圧供給回路７自体に充分な電流供給能力が無い場合に使用される。（特許文献１参照）
【手続補正６】
【補正対象書類名】明細書
【補正対象項目名】００１６
【補正方法】変更
【補正の内容】
【００１６】
電圧供給開始時に時定数回路のコンデンサの充電を迅速に行えるようにした、本発明による電圧供給回路の実施例を図１に示した。ここで図１の回路は、図２中の電圧供給回路７と時定数回路６に相当する部分を抜き出して示しており、図２の電圧供給回路７ａは次のように接続構成している。
入力端子ＩＮと出力端子ＯＵＴの間にトランジスタＱ１の主電流路を接続し、トランジスタＱ１のベースはトランジスタＱ４の主電流路を介してグランドに接続されている。トランジスタＱ４のベースは誤差増幅器ＡＭＰの信号出力端子に接続され、誤差増幅器ＡＭＰの非反転入力端子（＋）はバンドギャップリファレンス回路ＢＧに接続されている。出力端子ＯＵＴとグランドの間に抵抗Ｒ１とＲ２の直列回路が接続され、抵抗Ｒ１とＲ２の共通接続点は誤差増幅器ＡＭＰの反転入力端子（−）に接続されている。
【手続補正７】
【補正対象書類名】明細書
【補正対象項目名】００１８
【補正方法】変更
【補正の内容】
【００１８】
以上のような構成とした電圧供給回路７ａは以下のような動作をする。
先ず、入力端子ＩＮに電圧が供給されると、バンドギャップリファレンス回路ＢＧと誤差増幅器ＡＭＰが動作状態となる。ところで、電圧供給回路７ａの内部において、トランジスタＱ１、誤差増幅器ＡＭＰ、バンドギャップリファレンス回路ＢＧ、および抵抗Ｒ１とＲ２はシリーズレギュレータの回路構成となっている。このため、動作状態となったバンドギャップリファレンス回路ＢＧは、室温で１．２６Ｖ前後の値を示す安定度の極めて高いＢＧ電圧信号を発生させ、一方、動作状態となった誤差増幅器ＡＭＰは、抵抗Ｒ１とＲ２の共通接続点の電圧がバンドギャップリファレンス回路ＢＧから供給されるＢＧ電圧信号に等しくなるように、トランジスタＱ１を駆動する事になる。
【手続補正８】
【補正対象書類名】明細書
【補正対象項目名】００２４
【補正方法】変更
【補正の内容】
【００２４】
図１の回路が定常動作状態の時、電圧供給回路７ａ内部のトランジスタＱ１、Ｑ４、誤差増幅器ＡＭＰ、バンドギャップリファレンス回路ＢＧによる回路部分は、その回路構成からリップルフィルタと見なすこともできる。電圧供給回路７ａの入力端子ＩＮの電圧（ＶIN）が出力端子ＯＵＴの電圧（ＶOUT ）（＝図２のＶR1）よりも充分に高い場合、電圧供給回路７ａのリップルフィルタ機能により電圧（ＶIN）に含まれるノイズは大幅に低減され、電圧（ＶOUT ）はノイズの少ない直流電圧となる。当然、時定数回路６から取り出される電圧（＝図２のＶR2）はノイズの少ない直流電圧となる。
【手続補正９】
【補正対象書類名】明細書
【補正対象項目名】００２５
【補正方法】変更
【補正の内容】
【００２５】
一方、電圧（ＶIN）と電圧（ＶOUT ）が近似の場合、電圧（ＶIN）に含まれるノイズが電圧供給回路７ａを、ほぼそのまま通過してしまう。しかし、時定数回路６がローパスフィルタとして機能するため、結果的に時定数回路６から取り出される電圧（＝図２のＶR2）はノイズの少ない直流電圧となる。従って、本発明による電圧供給回路を従来の安定化回路に適用しても、安定化回路自体の回路動作を損なうことは無い。
【手続補正１０】
【補正対象書類名】明細書
【補正対象項目名】００２６
【補正方法】変更
【補正の内容】
【００２６】
以上の本発明の説明において、図１のトランジスタＱ１、誤差増幅器ＡＭＰ、バンドギャップリファレンス回路ＢＧ、抵抗Ｒ１およびＲ２はシリーズレギュレータを構成している。しかし時定数回路６への供給電流を調整するトランジスタＱ１やそれに類する素子が存在するものであれば、例えば三端子レギュレータなどを構成するものであっても良い。また、本発明による電圧供給回路７ａは、図２のように電圧安定化回路の基準電圧供給用に限らず、時定数回路（ＲＣフィルタ）を介して安定度の高い電圧を供給する場面に広く適用することが可能である。
【手続補正１１】
【補正対象書類名】明細書
【補正対象項目名】００２７
【補正方法】変更
【補正の内容】
【００２７】
【図１】本発明による電圧供給回路と時定数回路の回路図。
【図２】電子機器内部の一般的な配置を示すブロック図。
【図３】時定数回路から出力される電圧信号の波形図。
【図４】従来における一般的な電圧供給回路と時定数回路の充電促進技術を示す回路図。
【手続補正１２】
【補正対象書類名】明細書
【補正対象項目名】００２８
【補正方法】変更
【補正の内容】
【００２８】
１：電源
２：負荷装置
３：パワートランジスタ
６：時定数回路
７、７ａ：電圧供給回路
ＡＭＰ：誤差増幅器
ＢＧ：バンドギャップリファレンス回路
Ｃ０：時定数回路を構成するコンデンサ
ＩＮ：電圧供給回路の入力端子
ＯＵＴ：電圧供給回路の出力端子
Ｑ１：トランジスタ（第１のトランジスタ）
Ｑ２：トランジスタ（第２のトランジスタ）
Ｑ３：トランジスタ（第３のトランジスタ）
Ｑ５：トランジスタ（ダイオード）
Ｒ０：時定数回路を構成する抵抗
Ｒ３：抵抗（バイアス回路）
ＶD ：電源からの供給電圧
ＶR1：電圧供給回路の出力電圧
ＶR2：時定数回路の出力電圧
ＶS ：負荷装置への供給電圧